(57)【要約】【課題】簡単な構成で効果的に保温したり保冷したりすることが可能な遊技店の飲料容器ホルダーを提供する。【解決手段】遊技店の遊技設備に設けられる飲料容器ホルダーである。飲料容器を保持する保持部と、前記保持部に保持された飲料容器内の飲料を保温及び保冷することが可能なペルチェ素子と、ペルチェ素子による保温動作、保冷動作及び動作停止のいずれかの実行を選択的に制御する制御部と、を備える。【選択図】        図１
2004147671.tif 000002
【特許請求の範囲】
【請求項１】
遊技店の遊技設備に設けられる飲料容器ホルダーにおいて、
飲料容器を保持する保持部と、
前記保持部に保持された飲料容器内の飲料を保温及び保冷することが可能なペルチェ素子と、
前記ペルチェ素子による保温動作、保冷動作及び動作停止のいずれかの実行を選択的に制御する制御部と、
を備えることを特徴とする遊技店の飲料容器ホルダー。
【請求項２】
前記保持部に飲料容器が搭載された際の温度を検出する初期温度検出手段を更に備え、
前記制御部は、
前記初期温度検出手段による検出結果に応じて前記ペルチェ素子の動作状態を選択し制御することを特徴とする請求項１に記載の遊技店の飲料容器ホルダー。
【請求項３】
前記ペルチェ素子及び前記保持部を内部に収納しているとともに、該保持部に飲料容器を上側から搭載可能となるよう上側に開口した箱形状に構成されたホルダー本体と、
前記ペルチェ素子の熱を放つための放熱部材と、
を更に備え、
前記放熱部材は、前記ホルダー本体の内部において、前記ペルチェ素子を基準として飲料容器の反対側に配され、
前記ホルダー本体には、該ホルダー本体の外部に前記放熱部材の熱を放つための放熱用開口部が形成されていることを特徴とする請求項１又は２に記載の遊技店の飲料容器ホルダー。
【請求項４】
前記ペルチェ素子の動作状態を報知する報知手段を備えることを特徴とする請求項１〜３のいずれか一項に記載の遊技店の飲料容器ホルダー。
【請求項５】
当該飲料容器ホルダーを遊技設備に対し固定状態にする第１状態と、着脱可能状態にする第２状態と、に変換可能な可動フックを備えることを特徴とする請求項１〜４のいずれか一項に記載の遊技店の飲料容器ホルダー。
【発明の詳細な説明】
【０００１】
【発明の属する技術分野】
本発明は、遊技店の飲料容器ホルダーに関する。
【０００２】
【従来の技術】
従来、遊技店のコップ保持器（飲料容器ホルダー）としては、例えば、コップや缶（飲料容器）が載置される載置板と、この載置板の上方に位置してコップや缶の脱落を防止するリング状の枠と、を備え、例えばパチンコ遊技機の上皿に取付けられたものがある（例えば、特許文献１参照）。
このようなコップ保持器によれば、遊技者は、コップや缶を、枠に通した状態で載置板に載置することで遊技機の近傍位置で保持させることができるので、遊技を行いながら容易に飲料を飲むことが可能となる。
【０００３】
【特許文献１】
実開平７−３６９６号公報（図１等）
【０００４】
【発明が解決しようとする課題】
ところで、遊技店には多数の遊技者が来店し、その中には、当然のことながら暖かい飲料を好む遊技者もいれば冷たい飲料を好む遊技者もいる。
また、遊技をしながらゆっくり飲料を飲む遊技者も多数存在する。
このため、飲料を遊技者の好む温度に保つことが望まれている。
【０００５】
しかしながら、例えば特許文献１のコップ保持器では、コップや缶がむき出しであるため、飲料の温度が直ぐに変化してしまう。よって、遊技者の要望を満たすことができない。
また、遊技者の要望を満たすために保温装置と保冷装置とを遊技機毎に備えることは、費用やメンテナンスの面から課題が多い。
【０００６】
この発明は、上記のような問題点を解決するためになされたもので、簡単な構成で効果的に保温したり保冷したりすることが可能な遊技店の飲料容器ホルダーを提供することを目的とする。
【０００７】
【課題を解決するための手段】
上記課題を解決するため、
請求項１に記載の発明は、
遊技店の遊技設備に設けられる飲料容器ホルダーにおいて、
飲料容器を保持する保持部と、
前記保持部に保持された飲料容器内の飲料を保温及び保冷することが可能なペルチェ素子と、
前記ペルチェ素子による保温動作、保冷動作及び動作停止のいずれかの実行を選択的に制御する制御部と、
を備えることを特徴としている。
【０００８】
ペルチェ素子は熱電保冷素子とも呼ばれ、例えば、図１０に示すように、電極部材６１、ｎ型半導体６２、電極部材６３、ｐ型半導体６４及び電極部材６１を、この順で電気的に直列に接続するとともに、ｎ型半導体６２とｐ型半導体６４とが互いに平行となるような配置とした回路構成の素子である。
また、複数のペルチェ素子を、互いに電気的に直列となり、且つ、熱の移動方向が一致するように接続してユニット化したものをペルチェモジュールという。すなわち、ペルチェモジュールは、複数のペルチェ素子を互いに平行に配列し、隣り合うペルチェ素子どうしを接続する電極は共通の電極部材６１とすることにより全てのペルチェ素子を電気的に直列接続し、更に、各電極部材６３に接する保温・保冷部材６７と各電極部材６１に接する保温・保冷部材６８とを設けて構成されている。
このようなペルチェモジュールに（各ペルチェ素子に）、電極部材６１より通電すると、電流の方向に応じて保温・保冷部材６７、６８において発熱（保温）又は吸熱（保冷）が生じる（ペルチェ効果を生じる）。また、ペルチェ素子（ペルチェモジュール）に通電する電流の向きを逆転すると、発熱・吸熱の関係も逆転する。これを利用して保温・保冷を行なうことができる。
つまり、ペルチェ素子に対する通電の有無並びに通電する場合における通電の方向を制御部により選択し制御することによって、ペルチェ素子に飲料の保温動作、保冷動作及び動作停止のいずれかを実行させることができる。
なお、制御部によるペルチェ素子の動作の制御は、自動的に（操作によらずに）行うようにしても良いし、受け付けた操作に応じて行うようにしても良い。
【０００９】
ここで、「遊技設備」とは、遊技店に設けられた設備で、例えば、遊技機、島設備装置、球貸装置であり、遊技中の遊技者の近傍（手の届く範囲）に配置された設備である。
請求項１に記載の発明によれば、飲料容器を保持する保持部と、保持部に保持された飲料容器内の飲料を保温及び保冷することが可能なペルチェ素子と、ペルチェ素子による保温動作、保冷動作及び動作停止のいずれかの実行を選択的（択一的）に制御する制御部と、を備えるので、保持部により飲料容器を保持させることができるのに加えて、制御部は、ペルチェ素子に対し通電する直流電流の方向を切り替えるだけで、飲料容器内の飲料の保温動作と保冷動作を切り替えることができ、又、通電を停止することにより動作停止状態とすることができる。つまり、単一の手段（ペルチェ素子）により飲料の保温動作と保冷動作が可能となるので、構成を簡素化でき、特に多数の遊技機が備えられる遊技店において各遊技機毎に飲料容器ホルダーを設置する場合にも効果的である。
【００１０】
請求項２に記載の発明は、請求項１に記載の遊技店の飲料容器ホルダーにおいて、
前記保持部に飲料容器が搭載された際の温度を検出する初期温度検出手段を更に備え、
前記制御部は、
前記初期温度検出手段による検出結果に応じて前記ペルチェ素子の動作状態を選択し制御することを特徴としている。
【００１１】
具体的には、例えば、保持部に飲料容器が搭載されていないときの温度を基準温度として予め記憶しておき、該基準温度からの温度変化が生じたときに、飲料容器が搭載されたと判定するとともにそのときの温度を搭載初期温度（保持部に飲料用器が搭載された際の温度）として記憶する。この搭載初期温度が前記基準温度よりも高温の場合には、制御部は、ペルチェ素子に飲料容器を保温させる。逆に、搭載初期温度が基準温度よりも低温の場合には、制御部は、ペルチェ素子に飲料容器を保冷させる。
【００１２】
請求項２に記載の発明によれば、保持部に飲料容器が搭載された際の温度を検出する初期温度検出手段を更に備え、制御部は、初期温度検出手段による検出結果に応じてペルチェ素子の動作状態を選択し制御するので、例えば人の操作等を要しないで飲料を適当な温度に保つ（元々温かい飲料は温かく保ち、元々冷たい飲料は冷たく保つ）ことができる。
【００１３】
請求項３に記載の発明は、請求項１又は２に記載の遊技店の飲料容器ホルダーにおいて、
前記ペルチェ素子及び前記保持部を内部に収納しているとともに、該保持部に飲料容器を上側から搭載可能となるよう上側に開口した箱形状に構成されたホルダー本体と、
前記ペルチェ素子の熱を放つための放熱部材と、
を更に備え、
前記放熱部材は、前記ホルダー本体の内部において、前記ペルチェ素子を基準として飲料容器の反対側に配され、
前記ホルダー本体には、該ホルダー本体の外部に前記放熱部材の熱を放つための放熱用開口部が形成されていることを特徴としている。
【００１４】
請求項３に記載の発明によれば、ペルチェ素子及び保持部を内部に収納しているとともに、該保持部に飲料容器を上側から搭載可能となるよう上側に開口した箱形状に構成されたホルダー本体と、ペルチェ素子の熱を放つための放熱部材と、を更に備え、放熱部材は、ホルダー本体の内部において、ペルチェ素子を基準として飲料容器の反対側に配され、ホルダー本体には、該ホルダー本体の外部に放熱部材の熱を放つための放熱用開口部が形成されているので、放熱部材の熱を放熱用開口部を介して好適に放つことができ、飲料の保冷効率を高めることができる。
【００１５】
請求項４に記載の発明は、請求項１〜３のいずれか一項に記載の遊技店の飲料容器ホルダーにおいて、
前記ペルチェ素子の動作状態を報知する報知手段を備えることを特徴としている。
【００１６】
ここで、ペルチェ素子の動作状態の報知としては、例えば、保温動作状態と保冷動作状態のいずれであるかの報知や、動作状態（保温動作又は保冷動作）と動作停止状態のいずれであるかの報知や、保温動作状態、保冷動作状態及び動作停止状態のいずれであるかの報知などが挙げられる。
報知手段は、例えば、ランプ又はＬＥＤ等の発光部材と、この発光部材の点灯状態を切り替える制御手段と、からなり、発光部材の点灯状態を切り替えることによりペルチェ素子の動作状態を報知するものであることが挙げられる。
報知手段としては、他にも、例えば、スピーカと、このスピーカによる発音を制御する制御手段と、からなり、スピーカによる発音によって動作状態を報知するものが挙げられる。
また、報知手段としては、他にも、例えば、温度状態に応じて移動する可動部材が挙げられる。この場合、可動部材の位置によってペルチェ素子の動作状態を報知することができる。なお、可動部材を移動させるためには、例えば、保持部より加えられる熱量に応じて変形し、該変形に伴わせて可動部材を移動させる部材（例えば、形状記憶ポリマー又は形状記憶合金等）を備えると良い。
【００１７】
請求項４に記載の発明によれば、ペルチェ素子の動作状態を報知する報知手段を備えるので、報知手段の報知内容を確認することによりペルチェ素子の動作状態を容易に認識することができる。つまり、具体的には、例えば、保温動作と保冷動作の何れが行われているかを認識したり、或いは、何れの動作も行われていないことを認識したりできる。
【００１８】
請求項５に記載の発明は、請求項１〜４のいずれか一項に記載の遊技店の飲料容器ホルダーにおいて、
当該飲料容器ホルダーを遊技設備に対し固定状態にする第１状態と、着脱可能状態にする第２状態と、に変換可能な可動フックを備えることを特徴としている。
【００１９】
なお、第１状態に維持させるための手段、例えば、鍵で開閉可能な錠を備え、鍵により錠を開けたときには可動フックを第１状態と第２状態のいずれにも変換可能で、鍵を閉めると（鍵を開けない限りは）可動フックを第１状態に維持させることができるようにすることが一層好ましい。
【００２０】
請求項５に記載の発明によれば、当該飲料容器ホルダーを遊技設備に対し固定状態にする第１状態と、着脱可能状態にする第２状態と、に変換可能な可動フックを備えるので、可動フックを第１状態にさせた場合には、飲料容器ホルダーを遊技設備に対し固定状態にすることができ、例えば、該飲料容器ホルダーが遊技者により遊技設備から持ち去られてしまうことを防止できる。他方、可動フックを第２状態にさせた場合には、飲料容器ホルダーを遊技設備に対し着脱可能状態にすることができ、取り外したり、或いは、取り付けたりすることができる（第２状態で取付位置に配置した状態で第１状態に変換させることにより取付けることができる）。
【００２１】
【発明の実施の形態】
以下、図面を参照して、本発明に係る実施の形態について説明する。
【００２２】
図１に示すように、本実施形態の飲料容器ホルダー（遊技店の飲料容器ホルダー）１は、遊技店の遊技設備１３（図５）に設けられるものであり、ホルダー本体２と、コップや缶などの飲料容器３を保持する保持部４と、この保持部４に保持された飲料容器３内の飲料５を保温及び保冷することが可能なペルチェモジュール（ペルチェ素子）６と、このペルチェモジュール６による保温動作、保冷動作及び動作停止のいずれかの実行を選択的に制御する制御基板（制御部）７と、保持部４に飲料容器３が置かれた（搭載された）際の温度等を検出する温度感知センサ（初期温度検出手段）８と、制御基板７及びペルチェモジュール６等に電源供給する電源手段としての例えば乾電池９と、ペルチェモジュール６の熱を放つための放熱部材１０と、ペルチェモジュール６の動作状態を報知する報知手段としての例えばＬＥＤ１１，１２と、保持部４に飲料容器３が置かれていない場合に該保持部４内に異物が入り込んでしまうことを防止するための蓋１８と、当該飲料容器ホルダー１を遊技設備１３に対し固定状態としたり着脱可能状態としたりするための可動フック１４と、を備えて概略構成されている。
【００２３】
このうちホルダー本体２は、例えば、飲料容器ホルダー１の外周部を構成する外周側部分１５と、この外周側部分１５の内側に位置する内周側部分１６とからなる。このうち外周側部分１５は、例えば、直方体形状の箱形状をなしていて、上側に向けて開口している。他方、内周側部分１６は、外周側部分１５よりは小さい直方体形状の箱形状をなしていて、やはり上側に向けて開口している。これら外周側部分１５と内周側部分１６とは、例えば連結部１７を介して互いに連結されている（外周側部分１５と内周側部分１６とは一体的に形成されている）。また、外周側部分１５と内周側部分１６との間隔には、後述するように、制御基板７及び未使用時における蓋１８が配設されている。
さらに、ホルダー本体２は、ペルチェモジュール６及び保持部４を内部に収納している。
【００２４】
保持部４は、例えば、飲料容器３として例示的に図１に示す紙コップの外周形状に沿うように、上側に向けて徐々に内径が拡大するような略円筒状に構成されている。
そして、保持部４の上端部の開口部４ａを介して、保持部４の上側から、保持部４の底部４ｂ上に飲料容器３を載置（搭載）することが可能となっている。
このような保持部４は、ホルダー本体２の内周側部分１６の内部に収納されている。
より具体的には、保持部４は、内周側部分１６の底部に取付けられた放熱部材１０及びこの放熱部材１０に固定されたペルチェモジュール６を介して、内周側部分１６により間接的に保持され、該内周側部分１６の内部に位置している。
また、保持部４の開口部４ａは、ホルダー本体２の内周側部分１６の上側の開口の内側に収まっている。つまり、内周側部分１６（ホルダー本体２）は、保持部４に飲料容器３を上側から搭載可能となるよう上側に開口した箱形状に構成されているといえる。
保持部４は、ペルチェモジュール６の後述する保温・保冷部材６７と熱伝導可能に当接されていて、保温・保冷部材６７にて吸熱が生じる際には、該保持部４に搭載された飲料容器３内の飲料５を保冷する一方で、保温・保冷部材６７にて発熱が生じる際には、該飲料５を保温する。
【００２５】
ペルチェモジュール６は、例えば図１０に示すように、複数のペルチェ素子６５を備えて構成される。
ここで、ペルチェ素子６５は、電極部材６１、ｎ型半導体６２、電極部材６３、ｐ型半導体６４及び電極部材６１を、この順で電気的に直列に接続するとともに、ｎ型半導体６２とｐ型半導体６４とが互いに平行となるような配置とした回路構成の素子である。
そして、ペルチェモジュール６は、複数のペルチェ素子６５を、互いに電気的に直列となり、且つ、熱の移動方向が一致するように接続することにより、ユニットとして構成されている。すなわち、ペルチェモジュール６は、複数のペルチェ素子６５を互いに平行に配列し、隣り合うペルチェ素子６５どうしを接続する電極は共通の電極部材６１とすることにより全てのペルチェ素子６５を電気的に直列接続し、更に、各電極部材６３に接する保温・保冷部材６７と各電極部材６１に接する保温・保冷部材６８とを設けて構成されている。
このようなペルチェモジュール６に（各ペルチェ素子６５に）、電極部材６１より直流電流を通電すると、電流の方向に応じて保温・保冷部材６７、６８において発熱（保温）又は吸熱（保冷）が生じる（ペルチェ効果を生じる）。
つまり、例えば、図１０の矢印Ａの方向に電流を流すと、各電極部材６３から各電極部材６１への熱の移動が生じる結果として、保温・保冷部材６７にて吸熱（保冷）が生じる一方で、保温・保冷部材６８では発熱（保温）が生じる。
逆に、図１０の矢印Ａとは逆方向に電流を流すと、各電極部材６１から各電極部材６３への熱の移動が生じる結果として、保温・保冷部材６７にて発熱（保温）が生じる一方で、保温・保冷部材６８では吸熱（保冷）が生じる。
このように、ペルチェモジュール６（ペルチェ素子６５）に通電する電流の向きを逆転すると、発熱・吸熱の関係も逆転するため、ペルチェモジュール６を用いることにより、単一の手段（該ペルチェモジュール６）により保温と保冷の両方を行なうことができる。
具体的には、後述する制御基板７によって、ペルチェモジュール６による保温動作、保冷動作及び動作停止の制御が選択的に（択一的に）行われる。
【００２６】
温度感知センサ８は、非接触式で飲料容器３内の飲料の温度（厳密には飲料容器３の表面温度）を感知するセンサであり、制御基板７の後述する制御回路７１からの電源供給を受けて作動する。
この温度感知センサ８は、ホルダー本体２の内周側部分１６に形成された温度感知用開口部１６ａ、及び、保持部４に形成された温度感知用開口部４ｃをそれぞれ介して飲料容器３内の飲料の温度を感知可能となっている。
【００２７】
制御基板７は、例えば、当該飲料容器ホルダー１の側部において、ホルダー本体２の外周側部分１５と内周側部分１６との隙間に、該制御基板７の板面方向が縦になるように収納されている。
この制御基板７には、例えば、温度感知センサ８、ＬＥＤ１１，１２及び乾電池９が搭載されている。
また、制御基板７は、制御回路７１とスイッチング回路７２とを備えている。
このうち制御回路７１は、乾電池９からの電源を中継して温度感知センサ８及びＬＥＤ１１，１２に供給する。
他方、スイッチング回路７２は、乾電池９からの電源を中継してペルチェモジュール６に直流電流を供給することが可能で、制御回路７１からの指令に応じて、ペルチェモジュール６に供給する直流電流の向きを、正・逆方向（図１０の矢印Ａ方向と、矢印Ａ方向の逆方向と）に切り替える制御と、ペルチェモジュール６への電源供給を停止させる制御と、を行う。
【００２８】
また、制御回路７１には、常時、温度感知センサ８による感知温度（感知値）が入力されるようになっている。
制御回路７１は、この入力値に応じてスイッチング回路７２を制御し、ペルチェモジュール６への電源の供給態様を変化させることによって、該ペルチェモジュール６の動作状態（保温動作、保冷動作、動作停止のいずれか）を制御する。
つまり、制御基板（制御部）７は、温度感知センサ（初期温度検出手段）８による感知値（検出結果）に応じてペルチェモジュール（ペルチェ素子）６の動作状態を選択し制御する。
【００２９】
具体的には、制御回路７１は、例えば、当該飲料容器ホルダー１への電源投入時における温度感知センサ８からの入力値（つまり、保持部４に飲料容器３が搭載されていないときの温度）を基準温度として記憶しておく。
その後、温度感知センサ８からの入力値が前記基準温度から変化したときには、制御回路７１は飲料容器３が搭載されたと判定するとともにそのときの温度を搭載初期温度（保持部４に飲料容器３が搭載された際の温度）として記憶する。
すなわち、飲料容器ホルダ１（の制御部）は、飲料容器３（飲料５）が搭載されたか否かの判定を行う搭載有無判定手段を備える。
また、このように、搭載初期温度が記憶された際に、制御回路７１は、該搭載初期温度と前記基準温度との比較を行う。そして、搭載初期温度が前記基準温度よりも高温である場合には、制御回路７１は、温かい飲料５が置かれた（搭載された）と判定して、ペルチェモジュール６により飲料容器３内の飲料５を保温するべくスイッチング回路７２を制御する。
この結果、スイッチング回路７２は、ペルチェモジュール６に図１０の矢印Ａ方向とは逆方向に電流を流す。
すると、各電極部材６１（放熱部材１０側）から各電極部材６３（保持部４側）への熱の移動が生じる結果として保温・保冷部材６７にて発熱が生じるので、この熱が保持部４にも伝導し、該保持部４によって飲料５が保温される。
ここで、ホルダー本体２の内周側部分１６は断熱材からなり、保持部４の熱が制御基板７等に影響を及ぼすことを防止する。なお、具体的には、例えば、ホルダー本体２の内周側部分１６、連結部１７及び外周側部分１５とは一体成型されていて、全て断熱材からなる。
【００３０】
他方、搭載初期温度が前記基準温度よりも低温である場合には、制御回路７１は、冷たい飲料５が置かれたと判定する。
このように、飲料容器ホルダー１（の制御部）は、飲料容器３内の（飲料５）の温度が基準温度よりも低温であるか高温であるかの判定を行う搭載飲料温度判定手段を備える。
また、このように、冷たい飲料５が置かれたと判定した場合には、制御回路７１は、ペルチェモジュール６により飲料容器３内の飲料５を保冷するべくスイッチング回路７２を制御する。
この結果、スイッチング回路７２は、ペルチェモジュール６に図１０の矢印Ａ方向に電流を流す。
すると、各電極部材６３（保持部４側）から各電極部材６１（放熱部材１０側）への熱の移動が生じる結果として保温・保冷部材６７にて吸熱が生じるので、保持部４でも吸熱が生じて、該保持部４によって飲料５が保冷される。
なお、この際に、保温・保冷部材６８は発熱するが、この熱は放熱部材１０を介して外気に放たれる。
【００３１】
ここで、放熱部材１０は、例えば、板状の部材であり、ペルチェモジュール６の保温・保冷部材６８と熱伝導可能に当接されている。
この放熱部材１０は、ホルダー本体２の内部において、ペルチェモジュール６の位置を基準として飲料容器３（の配置位置）の反対側に配されている。
さらに、放熱部材１０より放たれる熱を当該飲料容器ホルダー１の外部に好適に放つことができるように、ホルダー本体２の外周側部分１５の例えば底部には、放熱用開口部１５ａが形成されている。
加えて、ホルダー本体２の下部における側面にも、放熱用開口部１５ｂが形成されている。
このため、これら放熱用開口部１５ａ、１５ｂにより放熱部材１０の熱を外部に放つことができるので、図１０に示す電極６３から電極６１への熱の移動が促進され、さらに、ホルダー本体２内で熱がこもることも防止され、ペルチェモジュール６により飲料容器３の飲料５を保冷する場合の保冷効率が高まる。
【００３２】
また、ペルチェモジュール６の動作状態を報知する報知手段としてのＬＥＤ１１、１２は、視認しやすいように、例えば、当該飲料容器ホルダー１の上面部に配されている。
このうちＬＥＤ１１は、ペルチェモジュール６により飲料容器３内の飲料５の保温動作が行われている状態時に、制御回路７１の制御下で点灯し、保温動作が行われている旨を報知する。なお、ＬＥＤ１１としては、例えば、暖色系（例えば、赤、オレンジ等）の発光色を呈するものを適用する。或いは、ＬＥＤ１１のカバー部材として、暖色系の色付きの透明部材を適用する。このようにすることにより、発光色自体により、保温動作中である旨を認識させやすくなる。
他方、ＬＥＤ１２は、ペルチェモジュール６により飲料容器３内の飲料５の保冷動作が行われている状態時に制御回路７１の制御下で点灯し、保冷動作が行われている旨を報知する。なお、ＬＥＤ１２としては、例えば、寒色系（例えば、青、緑等）の発光色を呈するものを適用する。或いは、ＬＥＤ１２のカバー部材として、寒色系の色付きの透明部材を適用する。このようにすることにより、発光色自体により、保冷動作中である旨を認識させやすくなる。
【００３３】
蓋１８は、例えば、板状の部材である。この蓋１８は、未使用時には、当該飲料容器ホルダー１の側部（制御基板７が配置されているのと反対側の側部）に形成された（ホルダー本体２の外周側部分１５と内周側部分１６との隙間に形成された）蓋収納部１８ａ内に、該蓋１８の板面方向が縦になるように収納されている。
また、蓋収納部１８ａの上端部の開口部内周には、該蓋収納部１８ａ内より蓋１８を引き出す際に、該蓋１８をガイドするスライド部材１８ｂが設けられている。このスライド部材１８ｂは、例えば、棒状に構成され、その長手方向が略水平となるように、蓋収納部１８ａの開口部内周に沿って配されている。
ここで、使用時（保持部４に飲料容器３が置かれていない場合）に蓋収納部１８ａより引き出された蓋１８は、ホルダー本体２の内周側部分１６上に載置されて、該内周側部分１６の上側開口を閉塞する。これにより、保持部４の上端部の開口部４ａも閉塞されて、保持部４内に異物（例えば、パチンコ球等）が入り込んでしまうことを防止できる。
なお、ホルダー本体２の内周側部分１６の上端面（蓋収納部１８ａと反対側の上端面）には、蓋１８を使用時の位置に位置決めするための蓋位置決め用爪１８ｃが形成されていて、蓋１８を、該蓋位置決め用爪１８ｃに一端が当接するように位置合わせすることにより適切な位置に載置できるようになっている。
【００３４】
また、飲料容器ホルダー１は、当該飲料容器ホルダー１を遊技設備１３に取付けるための一対のフックを備える。
つまり、飲料容器ホルダー１は、ホルダー本体２の外周側部分１５の側面に固定された固定フック１９と、外周側部分１５の側面に回動可能に軸着された可動フック１４と、を備える。
このうち可動フック１４は、飲料容器ホルダー１を遊技設備１３に対し固定状態にする第１状態（図１等の状態）と、着脱可能状態にする第２状態（図示略）と、に変換可能となっている。
すなわち、可動フック１４は、図１の状態（第１状態）から、固定フック１９より離間する方向に軸周りに回動することによって、第２状態に変換する。
逆に、第２状態から、固定フック１９に近づく方向に回動することによって、第１状態（図１の状態）に変換する。
加えて、飲料容器ホルダー１は、可動フック１４を第１状態に維持させるための錠１４ａを備えている。この錠１４ａは、鍵（図示略）によって開閉可能なものである。そして、該鍵により錠１４ａを開けたときには可動フック１４を第１状態と第２状態のいずれにも変換可能で、錠１４ａを閉めると（鍵を開けない限りは）可動フック１４を第１状態に維持させることができるようになっている。
そして、飲料容器ホルダー１を遊技設備１３の取付部１３ａに取付けるには、例えば、可動フック１４を第２状態にしておいてから、固定フック１９を取付部１３ａに係止し、可動フック１４を第１状態に変換した後に鍵により錠１４ａを閉めると良い。
逆に、飲料容器ホルダー１を取付部１３ａより取り外すには、鍵により錠１４ａを開けて、可動フック１４を第１状態から第２状態に変換すると良い。
【００３５】
ここで、飲料容器ホルダー１の遊技設備１３（具体的には、例えば、パチンコ店の島設備）への取付箇所としては、例えば、図５に示すように、遊技機（例えばパチンコ遊技機）１３ｂ間に設けられた球貸装置１３ｃや、遊技機１３ｂの下皿１３ｄの側部等が挙げられる。
【００３６】
或いは、取付位置としては、他にも、例えば、図６に示すように、遊技機１３ｂが備える灰皿１３ｅが挙げられる。
ここで、灰皿１３ｅは、灰を受ける本体部１３ｆと、該本体部１３ｆを水平軸周りに回動可能に保持した保持部１３ｇとを備えて構成され、例えば、この保持部１３ｇの上端部に形成されたフック引っ掛け部１３ｈに固定フック１９を引っ掛けることにより、飲料容器ホルダー１を灰皿１３ｅに取付けることができるようになっている。
なお、図６の灰皿１３ｅに取付ける場合の飲料容器ホルダー１は、可動フック１４は備えない（固定フック１９は備える）構成としても良い。
【００３７】
次に、図４を参照して、飲料容器ホルダー１の状態遷移について説明する。
【００３８】
先ず、ステップＳ１にて、飲料容器ホルダー１に電源が投入されると（例えば、図示しない電源スイッチがＯＮ状態とされると）、温度感知センサ８が温度感知（温度検出）を開始し、その感知値を制御回路７１に入力する。すると、制御回路７１では、該入力された感知値（入力値）を基準温度（基準値）として記憶する（最初の検出温度を基準値に設定する）。
【００３９】
ここで、飲料容器ホルダー１への電源投入は遊技店の開店準備の際に（つまり、遊技者が入店する以前に）行うものとすれば、該電源投入時には保持部４に飲料容器３が搭載されていないはずである。また、蓋１８により開口部が閉塞されていることを条件に電源投入処理を行うようにしてもよく。この場合には、飲料容器３が搭載されていることがないので確実に基準温度を記憶することができる。
そこで、ステップＳ１に続くステップＳ２では、制御回路７１は、保持部４には飲料容器３が搭載されていないものとして、ペルチェモジュール６への電源供給を行わない。また、該ステップＳ２では、制御回路７１は、ＬＥＤ１１，１２のいずれも点灯させない。ここで、遊技店内の温度は、一日の中で変化することが考えられる。このため、温度感知センサ８による入力値がわずかずつ変化した場合には、変化後の入力値を基準温度として随時記憶更新する。
【００４０】
次に、温度感知センサ８が、例えば、所定量（具体的には、例えば５℃）以上の温度変化を感知した（温度変化検出した）場合には、すなわち、温度感知センサ８から制御回路７１への入力値が短時間（例えば、１秒間）で上記所定量以上変化した場合には、ステップＳ３に移行する。
ステップＳ３では、制御回路７１は、飲料容器３が保持部４に搭載されたと判定するとともに、温度感知センサ８による感知温度が上昇したか下降したかを判定する。
すなわち、制御回路７１は、変化後の入力値を搭載初期温度として記憶し、該搭載初期温度が基準温度よりも高温であるか否かを判定する。
【００４１】
ステップＳ３にて、搭載初期温度が基準温度よりも高温であると制御回路７１が判定した場合には、すなわち、温度感知センサ８による感知温度が上昇したと制御回路７１が判定した場合には、ステップＳ４に移行する。
ステップＳ４では、制御回路７１は、飲料容器３内の飲料５を保温するべくスイッチング回路７２を制御するとともに、ＬＥＤ１１（例えば赤色）を点灯させる制御を行う。
この結果、スイッチング回路７２は、ペルチェモジュール６に図１０の矢印Ａ方向とは逆方向に電流を流す。
すると、ペルチェモジュール６の保温・保冷部材６７にて発熱が生じて保持部４によって飲料５が保温されるとともに、該保温動作中である旨の報知がＬＥＤ１１の点灯によりなされる。
ここで、保温動作中であっても、飲料５の温度がわずかずつ変化する結果として温度感知センサ８による感知温度がわずかずつ変化することがあると考えられる。
このため、このステップＳ４でも、温度感知センサ８による制御回路７１への入力値がわずかずつ変化した場合には、変化後の入力値を基準温度として随時記憶更新する。
【００４２】
次に、保温動作中に温度感知センサ８が、例えば、所定量（具体的には、例えば５℃）以上の温度下降を感知した（温度下降検出した）場合には、すなわち、温度感知センサ８から制御回路７１への入力値が短時間（例えば、１秒間）で上記所定量以上下降した場合には、保持部４から飲料容器３が取り除かれたと（制御回路７１が）判定するとともに、ステップＳ２に移行する。
ステップＳ２では、制御回路７１は、保温を停止すべくスイッチング回路７２を制御する。
この結果、スイッチング回路７２は、ペルチェモジュール６への通電を停止し、該ペルチェモジュール６の保温・保冷部材６７での発熱を停止させる。
また、制御回路７１は、ＬＥＤ１１を消灯させる制御を行う。なお、この状態では、ＬＥＤ１１、１２のいずれも点灯していないので、保温動作と保冷動作のいずれも行われていないことを報知していることになる。
【００４３】
他方、上記のステップＳ３にて、搭載初期温度が基準温度よりも低温であると制御回路７１が判定した場合には、すなわち、温度感知センサ８による感知温度が下降したと制御回路７１が判定した場合には、ステップＳ５に移行する。
ステップＳ５では、制御回路７１は、飲料容器３内の飲料５を保冷するべくスイッチング回路７２を制御するとともに、ＬＥＤ１２（例えば青色）を点灯させる制御を行う。
この結果、スイッチング回路７２は、ペルチェモジュール６に図１０の矢印Ａ方向に電流を流す。
すると、ペルチェモジュール６の保温・保冷部材６７にて吸熱が生じて保持部４によって飲料５が保冷されるとともに、該保冷動作中である旨の報知がＬＥＤ１２の点灯によりなされる。
ここで、保冷動作中であっても、飲料５の温度がわずかずつ変化する結果として温度感知センサ８による感知温度がわずかずつ変化することがあると考えられる。
このため、このステップＳ５でも、温度感知センサ８による制御回路７１への入力値がわずかずつ変化した場合には、変化後の入力値を基準温度として随時記憶更新する。
【００４４】
次に、保冷動作中に温度感知センサ８が、例えば、所定量（具体的には、例えば５℃）以上の温度上昇を感知した（温度上昇検出した）場合には、すなわち、温度感知センサ８から制御回路７１への入力値が短時間（例えば、１秒間）で上記所定量以上上昇した場合には、保持部４から飲料容器３が取り除かれたと（制御回路７１が）判定するとともに、ステップＳ２に移行する。
ステップＳ２では、制御回路７１は、保冷を停止すべくスイッチング回路７２を制御する。
この結果、スイッチング回路７２は、ペルチェモジュール６への通電を停止し、該ペルチェモジュール６の保温・保冷部材６７での吸熱を停止させる。
また、制御回路７１は、ＬＥＤ１２を消灯させる制御を行う。なお、この状態では、ＬＥＤ１１、１２のいずれも点灯していないので、保温動作と保冷動作のいずれも行われていないことを報知していることになる。
【００４５】
以上のような実施の形態によれば、飲料容器３を保持する保持部４と、保持部４に保持された飲料容器３内の飲料５を保温及び保冷することが可能なペルチェ素子（ペルチェモジュール６）と、ペルチェ素子による保温動作、保冷動作及び動作停止のいずれかの実行を選択的（択一的）に制御する制御部（制御基板７）と、を備えるので、保持部４により飲料容器３を保持させることができるのに加えて、制御部（制御基板７）は、ペルチェ素子（ペルチェモジュール６）に対し通電する直流電流の方向を切り替えるだけで、飲料容器３内の飲料の保温動作と保冷動作を切り替えることができ、又、通電を停止することにより動作停止状態とすることができる。つまり、単一の手段（ペルチェ素子）により飲料の保温動作と保冷動作が可能となるので、構成を簡素化でき、特に多数の遊技機１３ｂが備えられる遊技店において各遊技機１３ｂ毎に飲料容器ホルダー１を設置する場合にも効果的である。
【００４６】
また、保持部４に飲料容器３が搭載された際の温度を検出する初期温度検出手段（温度感知センサ８）を更に備え、制御部（制御基板７）は、初期温度検出手段による検出結果に応じてペルチェ素子（ペルチェモジュール６）の動作状態を選択し制御するので、人の操作等を要しないで飲料５を適当な温度に保つ（元々温かい飲料５は温かく保ち、元々冷たい飲料５は冷たく保つ）ことができる。
【００４７】
また、ペルチェ素子（ペルチェモジュール６）及び保持部４を内部に収納しているとともに、該保持部４に飲料容器３を上側から搭載可能となるよう上側に開口した箱形状に構成されたホルダー本体２と、ペルチェ素子の熱を放つための放熱部材１０と、を更に備え、放熱部材１０は、ホルダー本体２の内部において、ペルチェ素子を基準として飲料容器３の反対側に配され、ホルダー本体２には、該ホルダー本体２の外部に放熱部材１０の熱を放つための放熱用開口部１５ａ、１５ｂが形成されているので、放熱部材１０の熱を放熱用開口部１５ａ、１５ｂを介して好適に放つことができ、ペルチェ効果を高めて、飲料５の保冷効率を高めることができる。
【００４８】
また、ペルチェ素子（ペルチェモジュール６）の動作状態を報知する報知手段としてのＬＥＤ１１、１２を備えるので、該ＬＥＤ１１、１２による報知内容を確認することによりペルチェ素子の動作状態を容易に認識することができる。つまり、保温動作と保冷動作の何れが行われているかを認識したり、或いは、何れの動作も行われていないことを認識したりできる。
【００４９】
また、飲料容器ホルダー１は、該飲料容器ホルダー１を遊技設備１３に対し固定状態にする第１状態と、着脱可能状態にする第２状態と、に変換可能な可動フック１４を備えるので、可動フック１４を第１状態にさせた場合には、飲料容器ホルダー１を遊技設備１３に対し固定状態にすることができ、例えば、該飲料容器ホルダーが遊技者により遊技設備１３から持ち去られてしまうことを防止できる。他方、可動フック１４を第２状態にさせた場合には、飲料容器ホルダー１を遊技設備１３に対し着脱可能状態にすることができ、取り外したり、或いは、取り付けたりすることができる（第２状態で取付位置に配置した状態で第１状態に変換させることにより取付けることができる）。
また、可動フック１４を着脱可能とすることにより、可動フック１４を掛けられるところならば、任意の場所に飲料容器ホルダー１を取り付けることができ、取り付けた後に固定状態とすることで、任意の場所に固定することができる。
また、一度取り付けた飲料容器ホルダーを取り外して任意の場所に取付位置を変更することができる。
また、可動フック１４を外した状態、すなわち、可動フック１４を用いずに、飲料容器ホルダー１を任意の場所に載置した状態で使用するものとしても良い。
【００５０】
＜変形例１＞
上記の実施の形態では、電源手段としての乾電池９を備える例について説明したが、この変形例１では、制御基板７及びペルチェモジュール６等に電源供給するための電源コードを備える例について、図７及び図８を参照して説明する。
なお、図７及び図８に示す飲料容器ホルダー１は、図１及び図２等に示す飲料容器ホルダー１と比べて、以下に説明する点のみ異なり、その他の点は同様であるので、同様の構成要素には同一の符号を付し、その説明を省略する。
【００５１】
図７に示すように、この変形例１の飲料容器ホルダー１の制御基板７は、上記の乾電池９を備えていない代わりに、電源コード９１が接続されている。
この電源コード９１は、例えば遊技設備１３が備えるコンセントからの給電を受けるためのものであり、コンセントに差し込まれる電源プラグ９１ａを備えている。
このような変形例１によっても、上記の実施の形態と同様の効果が得られる。
【００５２】
なお、この変形例１の飲料容器ホルダー１の場合、例えば遊技者等により電源プラグ９１ａが抜かれてしまったりすることを防止するために、例えば図９に示すように飲料容器ホルダー１を遊技設備１３に対する埋め込み式にすることが好ましい。より詳細には、飲料容器ホルダー１の埋め込む位置は、遊技設備１３としての島設備の前棚１３ｉである。
【００５３】
＜変形例２＞
変形例２では、保温開始又は保冷開始から所定時間（例えば、３０分）が経過しても保持部４に搭載された飲料容器３内の飲料５に温度変化がない場合に保温又は保冷を強制的に中止する中止手段を備える例について説明する。
【００５４】
具体的には、例えば、保温開始又は保冷開始から所定時間（例えば、３０分）が経過しても、温度感知センサ８から制御回路７１への入力値の短時間（例えば、１秒間）での変化（上記所定量（例えば、５℃）以上の変化）が発生しない場合には、中止手段（制御基板７の制御回路７１）は、ペルチェモジュール６の動作（保温動作又は保冷動作）を停止させるべくスイッチング回路７２を制御する。
【００５５】
遊技者は、飲料５（飲料容器３）を飲料容器ホルダー１に置き忘れたり或いは放置したままで違う遊技機１３ｂに移動したり或いは帰ったりすることが少なくない。このように飲料５の残った飲料容器３を飲料容器ホルダー１に置いたままで遊技者が遊技機１３ｂを離れてしまう場合、もう飲まない飲料を保温（又は保冷）し続けることとなってしまうため無駄である。
このような事情に対し、変形例２では、中止手段を備えるので、保温（保冷）開始から所定時間しても飲料が空にならずに温度変化が無い場合には、保温（保冷）を強制的に中止するので、上記のような無駄な保温（保冷）をしてしまうことを防止できる。
【００５６】
なお、中止手段により保温又は保冷が中止された場合に、その旨を報知する中止報知手段を備えることも好ましい。
すなわち、放置された飲料容器３は、遊技店の係員により回収されることとなるが、現状では回収する係員は、缶やコップに飲料が残っている場合に、その都度遊技者に飲む意志があるか（前の遊技者のものか）を確認する必要があり大変面倒な作業であったが、上記のような報知機能を設けることにより回収作業が簡単になる。
中止報知手段は、具体的には、例えば、ランプ又はＬＥＤ等の発光部材（図示略）と、この発光部材の点灯状態を制御する制御手段（例えば、制御回路７１）と、からなり、発光部材を点灯させることにより中止された旨を報知するものであることが挙げられる。
或いは、中止報知手段は、スピーカと、このスピーカによる発音を制御する制御手段（例えば、制御回路７１）と、からなるものであっても良い。
【００５７】
なお、中止報知手段による報知内容は、他の報知（ペルチェモジュール６の動作状態の報知）とは識別可能にすることが好ましい。具体的には、例えば、ＬＥＤ１１，１２の発光色と、中止報知手段の発光部材の発光色とを異ならせると良い。
【００５８】
＜変形例３＞
上記の実施の形態では、温度感知センサ８による感知値が変化した場合に、ペルチェモジュール６への電源供給を停止するようにしているが、このようにすると、遊技者が飲料５を飲む際に飲料容器３等を持ち上げた場合でも一旦ペルチェモジュール６への電源供給が停止され、遊技者が未だ飲料５が残っている飲料容器３を再び置いた時点で、電源供給が再開される。
しかしながら、このような制御では、電源供給の中断により一時的に保温（又は保冷）効果が低下してしまう問題が生じてしまう。
【００５９】
そこで、変形例３では、保温動作又は保冷動作中に温度感知センサ８による感知値が変化した（例えば、１秒間で５℃以上変化した）場合にも、即座にはペルチェモジュール６への電源供給を停止しないで（ペルチェモジュール６を動作停止させないで）、該変化してから所定期間（例えば、１分）の経過後に電源供給を停止する（ペルチェモジュール６を動作停止させる）一方で、この所定期間内に再び感知値が基準温度に戻った場合（つまり飲料容器３が保持部４に戻された場合）には、継続して保温動作又は保冷動作を行う（つまり継続して電源供給を行う）。
【００６０】
この変形例３によれば、遊技者が飲料５を飲む際に飲料容器３等を持ち上げた場合等には継続して保温動作または保冷動作を行うので、このような場合に保温（又は保冷）効果が低下してしまうことを防止できる。
【００６１】
＜変形例４＞
遊技者は飲料５の残った飲料容器３を飲料容器ホルダー１に置いたままで遊技機１３ｂを離れてしまうことが少なくない。この場合、放置された飲料容器３は次の遊技者にとっては非常に邪魔であるばかりではなく、飲料容器３を回収する係員にとってもその飲料容器３が今の遊技者のものか前の遊技者のものかを判断することができず回収作業に対する課題を大きくしていた。
【００６２】
そこで、変形例４では、飲料容器ホルダー１に、遊技者が遊技を終了したこと（或いは、次の遊技者に替わったこと）を識別可能な信号を入力する機能を備え、遊技者が遊技を終了した場合には、該終了した旨を飲料容器ホルダー１にて報知することで、係員が飲料容器３を回収しやすくする。
【００６３】
具体的には、例えば、各遊技機１３ｂに隣設された端末装置（会員管理システムの端末装置）からの信号を入力する手段を飲料容器ホルダー１に設け、遊技者が遊技を終了する際に会員カードを当該端末装置から抜いた場合に、その旨（会員カードが抜かれた旨）を示す信号を端末装置から飲料容器ホルダー１に入力し、飲料容器ホルダー１では該信号の入力に基づき遊技の終了と判断し、遊技者が遊技を終了した旨を報知する。
或いは、前の遊技者の会員カードが抜かれた後で、別の遊技者の会員カードが端末装置に挿入された場合に、その旨（該挿入された旨）を示す信号を端末装置から飲料容器ホルダー１に入力し、飲料容器ホルダー１では該信号の入力に基づき遊技者が替わったと判断し、遊技者が替わった旨を報知する。
なお、上記の遊技の終了時や遊技者が替わった際には、ペルチェモジュール６への電源供給を停止する（ペルチェモジュール６を動作停止させる）。
【００６４】
このような変形例４によれば、飲料５の残った飲料容器３を飲料容器ホルダー１に置いたままで遊技者が遊技機１３ｂを離れた場合には、遊技者が遊技を終了したこと（或いは、次の遊技者に替わったこと）が報知されるので、係員は即座に飲料容器３を回収できる。或いは、次の遊技者が既に遊技をしていた場合でも、係員は、飲料容器ホルダー１に置かれた飲料容器３がその遊技者のものでは無いことを即座に認識できるので、いちいちその遊技者に確認することなく飲料容器３を回収できる。
【００６５】
なお、遊技者の遊技終了を検出するための構成としては、上記の例の他にも、例えば、遊技機から稼働信号（アウト球信号）を入力するようにして、該稼働信号の入力が所定時間無かった場合（即ち、所定時間遊技が行われていなかった場合）に遊技の終了と判断する構成が挙げられる。
【００６６】
＜変形例５＞
この変形例５では、保持部４は、該保持部４内に（間違って）入った球を落下させる穴（図示略）を備える。この穴は球の直径よりも僅かに大きい大きさに設定し、保温（又は）保冷に極力支障がないようにする。
より具体的には、穴は、保持部４だけでなく、必要に応じてホルダー本体２の内周側部分１６、放熱部材１０等にも設けると良い。
なお、この穴を利用して飲料容器ホルダー１の内部の掃除も行えるようにしても良い。
【００６７】
＜変形例６＞
変形例６の場合、蓋１８を電気的駆動源（モータ、ＳＯＬなど）により開閉可能に構成し、遊技者が遊技していない状態では蓋１８により保持部４の開口部４ａを閉塞状態にし、遊技開始で開放するようにする。
具体的には、例えば、遊技機１３ｂからの稼働信号（アウト信号）が飲料容器ホルダー１に入力開始された場合に遊技者による遊技開始と判定し、稼働信号の入力が所定時間無かった場合に遊技終了と判定する。
或いは、会員管理システムの端末装置に会員カードが挿入された場合に遊技開始と判定し、会員カードが抜き出された場合に遊技終了と判定するようにしても良い。
このような変形例６によれば、蓋１８を自動的に開閉できる。
【００６８】
＜変形例７＞
変形例７の場合、飲料容器ホルダー１は、ペルチェモジュール６による保温動作、保冷動作及び動作停止のいずれかの実行を選択的に切替操作するためのスイッチ（図示略）を備える。
このスイッチは、遊技者による操作がし易いように、例えば、飲料容器ホルダー１の上面（例えば、ＬＥＤ１１，１２の近傍位置）に設けることが好ましい。このような変形例７によれば、熱すぎる飲料５を少しさましたり、或いは、冷たすぎる飲料５を少しぬるくしたりしてから飲むことができる。或いは、常温の飲料を暖めたり冷やしたりしてから飲むことができる。
【００６９】
＜変形例８＞
変形例８の場合、飲料容器ホルダー１は、保温温度及び保冷温度の設定値を変更する手段（図示略）を備える。具体的には、例えば、保温温度及び保冷温度の設定値の変更操作を行うための変更操作手段を備える。
この変更操作手段は、例えば、ペルチェモジュール６への供給電流量を変化させるための操作ツマミからなり、該変更操作手段を操作してペルチェモジュール６への供給電流量を変更することにより、保温温度及び保冷温度の設定値を変更することができる。
【００７０】
なお、この実施の形態では、飲料容器ホルダー１が設けられる遊技店の遊技設備１３に用いられる遊技機１３ｂとして、パチンコ遊技機を挙げたが、遊技設備１３の遊技機１３ｂは、パチンコ遊技機に限られるものではなく、例えば、アレンジボール遊技機、雀球遊技機などの弾球遊技機や、パチスロ、スロットマシーン等の遊技機１３ｂであっても良い。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７１】
【発明の効果】
本発明によれば、飲料容器を保持する保持部と、保持部に保持された飲料容器内の飲料を保温及び保冷することが可能なペルチェ素子と、ペルチェ素子による保温動作、保冷動作及び動作停止のいずれかの実行を選択的（択一的）に制御する制御部と、を備えるので、制御部は、ペルチェ素子に対し通電する直流電流の方向を切り替えるだけで保温動作と保冷動作を切り替えることができ、又、通電を停止することにより動作停止状態とすることができる。つまり、単一の手段（ペルチェ素子）により保温動作と保冷動作が可能となるので、構成を簡素化でき、特に多数の遊技機が備えられる遊技店において各遊技機毎に設置する場合にも効果的である。
【図面の簡単な説明】
【図１】飲料容器ホルダーを示す断面図である。
【図２】飲料容器ホルダーを示す斜視図である。
【図３】飲料容器ホルダーの主要な制御ブロック図である。
【図４】飲料容器ホルダーの状態遷移図である。
【図５】飲料容器ホルダーの遊技設備への取付箇所の例を示す概略図である。
【図６】飲料容器ホルダーの取付箇所の例としての灰皿を示す概略斜視図である。
【図７】飲料容器ホルダーの他の例を示す断面図である。
【図８】図７の飲料容器ホルダーを示す斜視図である。
【図９】図７の飲料容器ホルダーの遊技設備への取付箇所の例を示す概略図である。
【図１０】ペルチェ素子の動作原理を説明するための図である。
【符号の説明】
１３    遊技設備
１      飲料容器ホルダー（遊技店の飲料容器ホルダー）
４      保持部
３      飲料容器
５      飲料
６      ペルチェモジュール（ペルチェ素子）
７      制御基板（制御部）
８      温度感知センサ（初期温度検出手段）
２      ホルダー本体
１０    放熱部材
１５ａ  放熱用開口部
１５ｂ  放熱用開口部
１１    ＬＥＤ（報知手段）
１２    ＬＥＤ（報知手段）
１４    可動フック
【図１】
2004147671.tif 000003
【図２】
2004147671.tif 000004
【図３】
2004147671.tif 000005
【図４】
2004147671.tif 000006
【図５】
2004147671.tif 000007
【図６】
2004147671.tif 000008
【図７】
2004147671.tif 000009
【図８】
2004147671.tif 000010
【図９】
2004147671.tif 000011
【図１０】
2004147671.tif 000012